(57)【要約】【課題】  片面入射型光記録媒体において、情報の記録又は再生を行なう記録層に応じて、例えば記録パルスストラテジ，記録パワー，再生パワー等の記録再生条件を瞬時に切り替えることができるようにする。【解決手段】  制御部が、片面側からのレーザ光の照射により情報を記録又は再生しうる複数の記録層のそれぞれにレイヤ情報が記録されている光記録媒体の一の記録層からレイヤ情報を読み出し（レイヤ情報読出ステップ）、レイヤ情報によって特定される記録層に応じた記録再生条件で記録又は再生が行なわれるように制御する（記録制御ステップ）。【選択図】        図４
2004213859.tif 000002
【特許請求の範囲】
【請求項１】
制御部が、片面側からのレーザ光の照射により情報を記録又は再生しうる複数の記録層のそれぞれにレイヤ情報が記録されている光記録媒体の一の記録層からレイヤ情報を読み出すレイヤ情報読出ステップと、
前記制御部が、前記レイヤ情報によって特定される記録層に応じた記録再生条件で記録又は再生が行なわれるように制御する記録再生制御ステップとを備えることを特徴とする、光記録媒体の記録再生方法。
【請求項２】
片面側からのレーザ光の照射により情報を記録又は再生しうる複数の記録層のそれぞれにレイヤ情報が記録されている光記録媒体の一の記録層からレイヤ情報を読み出すレイヤ情報読出部と、
前記レイヤ情報によって特定される記録層に応じた記録再生条件で記録又は再生が行なわれるように制御する記録再生制御部とを備えることを特徴とする、光記録媒体の記録再生装置。
【請求項３】
請求項１記載の光記録媒体の記録再生方法によって記録又は再生される光記録媒体であって、
片面側からのレーザ光の照射により情報を記録又は再生しうる複数の記録層を備え、
前記各記録層のそれぞれにレイヤ情報が記録されていることを特徴とする、光記録媒体。
【請求項４】
前記レイヤ情報が、前記各記録層のほぼ全面に記録されていることを特徴とする、請求項３記載の光記録媒体。
【請求項５】
前記レイヤ情報が、アドレス情報の一部として記録されていることを特徴とする、請求項３又は４記載の光記録媒体。
【請求項６】
前記レイヤ情報が、前記各記録層においてアドレス情報に含まれるリザーブビットの値を異ならせることで記録されていることを特徴とする、請求項３〜５のいずれか１項に記載の光記録媒体。
【請求項７】
前記複数の記録層のうち隣り合う２つの記録層において、アドレス情報に含まれるｓｙｎｃパターンを反転させることで前記レイヤ情報が記録されていることを特徴とする、請求項３〜５のいずれか１項に記載の光記録媒体。
【請求項８】
前記複数の記録層のうち隣り合う２つの記録層において、アドレス情報の最上位ビットを反転させるか、一の記録層のアドレス情報全体をビット反転させるか、一の記録層のアドレス情報全体を２の補数で表すかのいずれかの方法によって前記レイヤ情報が記録されていることを特徴とする、請求項３〜５のいずれか１項に記載の光記録媒体。
【請求項９】
前記複数の記録層として、２つの記録層を有することを特徴とする、請求項７又は８記載の光記録媒体。
【請求項１０】
前記各記録層が、色素含有記録層であることを特徴とする、請求項３〜９のいずれか１項に記載の光記録媒体。
【発明の詳細な説明】
【技術分野】
【０００１】
本発明は、例えばＤＶＤ−Ｒなどの片面側からレーザ光を照射して情報を記録又は再生しうる複数の記録層を備える光記録媒体，光記録媒体の記録再生方法及び光記録媒体の記録再生装置に関する。
【背景技術】
【０００２】
現在、ＣＤ−Ｒ，ＣＤ−ＲＷ，ＭＯ等の各種光記録媒体は、大容量の情報を記憶でき、ランダムアクセスが容易であるために、コンピュータのような情報処理装置における外部記憶装置として広く認知され普及しつつある。このような光記録媒体では、取り扱う情報量の増大に伴って、記憶密度を高めることが望まれている。
種々の光記録媒体の中でもＣＤ−Ｒ，ＤＶＤ−Ｒ，ＤＶＤ+Ｒなど、有機色素を含む記録層（色素含有記録層ともいう）を有する光記録媒体（光ディスク）は比較的安価で、且つ、再生専用の光ディスクとの互換性を有するため、特に広く用いられている。
【０００３】
一例として、色素含有記録層を有する光ディスクとして代表的なＣＤ−Ｒなどの媒体は、透明ディスク基板上に色素含有記録層と反射層とをこの順に有し、これら色素含有記録層や反射層を覆う保護層を有する積層構造であり、基板を通してレーザ光にて記録・再生を行なうものである。
さて、同じく代表的な片面型ＤＶＤ−Ｒは、第１の透明ディスク基板上に色素含有記録層、反射層、これらを覆う保護層をこの順に有し、さらに保護層の上に接着層を介して或いは介さずに、第２のディスク基板（透明でも不透明でも良い）上に反射層を形成したいわゆるダミーディスクを設けた積層構造であり、第１の透明ディスク基板を通して片面側からレーザ光にて記録・再生を行なうものである。ダミーディスクは透明又は不透明のディスク基板のみの場合もあるし、反射層以外の層を設ける場合もある。なお、ＤＶＤ+Ｒは、ＤＶＤ−Ｒとほぼ同じ構成であるため、ＤＶＤ−Ｒの説明で代表させる。
【０００４】
また、光記録媒体の記録容量を更に大容量化するために、上記のような片面型ＤＶＤ−Ｒを貼り合わせて２つの記録層を有する媒体とし、両面側から各記録層にレーザ光を照射して記録・再生を行なう（即ち、媒体の一面側からレーザ光を照射し、この一面側に近い方の記録層の記録・再生を行なう一方、媒体の他面側からもレーザ光を照射し、この他面側に近い方の記録層の記録・再生を行なう）両面型ＤＶＤ−Ｒも知られている。
【０００５】
このほか、例えばＣＤ−ＲＷ，ＤＶＤ−ＲＷなどのような相変化型記録層を有する光記録媒体（光ディスク）も広く用いられている。一般に、相変化型記録層を有する書換型光記録媒体では、記録層の上下に保護層が設けられている。
ところで、近年、複数の記録層を有する光記録媒体においては、記録再生装置が大型化，複雑化しないようにし、また、複数の記録層にわたる連続的な再生を可能とすべく、片面側からレーザ光を照射することによってこれらの複数の記録層に対して記録・再生を行なうことができる片面入射型光記録媒体（例えば片面入射型ＤＶＤ−Ｒ）を実現することが望まれている。
【０００６】
このため、例えば、以下のような構成を有する片面入射型光記録媒体として、例えば２つの記録層を有するデュアルレイヤタイプの片面入射型ＤＶＤ−Ｒが提案されている（例えば特許文献１参照）。
例えばデュアルレイヤタイプの片面入射型ＤＶＤ−Ｒは、第１透光性基板上に、記録用レーザ光の照射により光学的に情報が記録し得る有機色素からなる第１記録層と、再生用レーザ光の一部を透過し得る半透光性反射膜で構成された第１反射層と、記録用レーザ光及び再生用レーザ光に対して透光性を有する中間層と、記録用レーザ光の照射により光学的に情報が記録し得る有機色素からなる第２記録層と、再生用レーザ光を反射する第２反射層と、第２透光性基板とを順に積層して構成される。
【特許文献１】特開平１１−０６６６２２号公報
【発明の開示】
【発明が解決しようとする課題】
【０００７】
ところで、例えばデュアルレイヤタイプの片面入射型ＤＶＤ−Ｒなどのように複数の記録層を有する片面入射型光記録媒体は、記録層毎に、例えば記録パルスストラテジ（記録ストラテジ，ライトストラテジ），記録パワー，再生パワー等の最適な記録再生条件が大きく異なってしまう。
このため、複数の記録層を有する片面入射型光記録媒体の各記録層に対して情報の記録又は再生を行なう記録再生装置において、記録層に応じて、例えば記録パルスストラテジ，記録パワー，再生パワー等の記録再生条件を切り替えることができるようにし、情報の記録又は再生を正確、かつ、確実に行なえるようにしたい。
【０００８】
特に、記録再生装置が光記録媒体のそれぞれの記録層に対してランダムアクセスして情報の記録又は再生を行なうようにするには、記録層に応じて記録再生条件が瞬時に切り替わるようにする必要がある。
また、例えば、複数の記録層にわたって連続してアドレス情報を付け、記録再生装置において、読み出したアドレス情報に基づいてどの層であるかを判定することも考えられるが、これではどの層であるかを瞬時に判断するのは難しい。
【０００９】
本発明は、このような課題に鑑み創案されたもので、片面側からレーザ光を照射して複数の記録層に対して情報の記録又は再生を行なう光記録媒体において、情報の記録又は再生を行なおうとする記録層に応じて、例えば記録パルスストラテジ，記録パワー，再生パワー等の記録再生条件を瞬時に切り替えることができるようにした、光記録媒体，光記録媒体の記録再生方法及び光記録媒体の記録再生装置を提供することを目的とする。
【課題を解決するための手段】
【００１０】
このため、本発明の光記録媒体の記録再生方法は、制御部が、片面側からのレーザ光の照射により情報を記録又は再生しうる複数の記録層のそれぞれにレイヤ情報が記録されている光記録媒体の一の記録層からレイヤ情報を読み出すレイヤ情報読出ステップと、制御部が、レイヤ情報によって特定される記録層に応じた記録再生条件で記録又は再生が行なわれるように制御する記録制御ステップとを備えることを特徴としている（請求項１）。
【００１１】
本発明の光記録媒体の記録再生装置は、片面側からのレーザ光の照射により情報を記録又は再生しうる複数の記録層のそれぞれにレイヤ情報が記録されている光記録媒体の一の記録層からレイヤ情報を読み出すレイヤ情報読出部と、レイヤ情報によって特定される記録層に応じた記録再生条件で記録又は再生が行なわれるように制御する記録再生制御部とを備えることを特徴としている（請求項２）。
【００１２】
本発明の光記録媒体は、請求項１記載の光記録媒体の記録再生方法によって記録又は再生される光記録媒体であって、片面側からのレーザ光の照射により情報を記録又は再生しうる複数の記録層を備え、各記録層のそれぞれにレイヤ情報が記録されていることを特徴としている（請求項３）。
好ましくは、レイヤ情報が各記録層のほぼ全面に記録されるようにする（請求項４）。特に、レイヤ情報がアドレス情報の一部として記録されるようにするのが好ましい（請求項５）。
【００１３】
また、レイヤ情報が、各記録層においてアドレス情報に含まれるリザーブビットの値を異ならせることで記録されるようにするのも好ましい（請求項６）
さらに、複数の記録層のうち隣り合う２つの記録層において、アドレス情報に含まれるｓｙｎｃパターンを反転させることでレイヤ情報が記録されるようにするのも好ましい（請求項７）。
【００１４】
さらに、複数の記録層のうち隣り合う２つの記録層において、アドレス情報の最上位ビットを反転させるか、一の記録層のアドレス情報全体をビット反転させるか、一の記録層のアドレス情報全体を２の補数で表すかのいずれかの方法によってレイヤ情報が記録されるようにするのも好ましい（請求項８）。
また、複数の記録層として、２つの記録層を有するのが好ましい（請求項９）。
【００１５】
また、各記録層を色素含有記録層とするのが好ましい（請求項１０）。
【発明の効果】
【００１６】
以上詳述したように、本発明の光記録媒体，光記録媒体の記録再生方法及び光記録媒体の記録再生装置によれば、情報の記録又は再生を行なおうとする記録層に応じて、例えば記録パルスストラテジ，記録パワー，再生パワー等の記録再生条件を瞬時に切り替えることができるようになるという利点がある。
【発明を実施するための最良の形態】
【００１７】
以下、図面により、本発明の実施の形態にかかる光記録媒体（追記型光記録媒体），光記録媒体の記録再生方法及び光記録媒体の記録再生装置について、図１〜図４を参照しながら説明する。
本実施形態にかかる光記録媒体は、複数の記録層を有し、片面側から光（レーザ光）を照射することでそれぞれの記録層に情報の記録又は再生を行なうことができる片面入射型光記録媒体である。
【００１８】
本実施形態では、片面入射型光記録媒体（片面入射型ＤＶＤ−Ｒ）として、例えば２つの記録層を有するデュアルレイヤタイプの片面入射型ＤＶＤ−Ｒ（追記型光記録媒体）を例に説明する。
（１）光記録媒体の構造
まず、本実施形態にかかる光記録媒体として、積層構造の異なる２つのタイプの光記録媒体（光ディスク）について説明する。
（Ａ）タイプ１
図１は、本実施形態にかかる光記録媒体（タイプ１，積層型の片面入射型光記録媒体）を示す模式的な断面図である。
【００１９】
本実施形態にかかるタイプ１の光記録媒体は、ディスク状の透明な（光透過性の）第１基板（第１の基板，第１光透過性基板）１上に、色素を含む第１記録層（第１の記録層，第１色素含有記録層）２、半透明の第１反射層（以下、半透明反射層ともいう）３、中間樹脂層（中間層）４、色素を含む第２記録層（第２の記録層，第２色素含有記録層）５、第２反射層６、接着層７、第２基板（第２の基板）８をこの順に有してなる。光ビームは第１基板１側から照射され、記録又は再生が行われる。
【００２０】
なお、本実施形態において、透明である（光透過性がある）とは光記録媒体の記録又は再生に用いる光ビームに対して透明である（光透過性がある）ことを言う。また、透明である（光透過性がある）層としては、記録又は再生に用いる光ビームを多少吸収するものも含む。例えば、記録又は再生に用いる光ビームの波長について５０％以上、好ましくは６０％以上の透過性があれば実質的に光透過性がある（透明である）ものとする。
【００２１】
透明な第１基板１、中間樹脂層４上にはそれぞれ凹凸（ランド及びグルーブ）が形成され、凹部及び／又は凸部で記録トラックが構成される。ここでは、透明な第１基板１上の記録トラック１１は、第１基板１の溝部、即ち光の入射方向に対して凸部で構成される。中間樹脂層４上の記録トラック１２も、中間樹脂層４の溝部、即ち光の入射方向に対して凸部で構成される。なお、記録トラック１１，１２は、光の入射方向に対して凹部で構成しても良いし、光の入射方向に対して凹部及び凸部の双方で構成しても良いが、一般には、光の入射方向に対して凸部で構成するのが好ましい。特に断らない限り、本発明において凹凸は記録又は再生に用いる光の入射方向に対して定義される。
【００２２】
これらの記録トラック１１，１２は、所定の振幅，所定の周波数で半径方向に僅かに蛇行させてある（これをウォブルという）。また、記録トラック１１，１２の間のランドにはある規則にしたがった孤立ピット（アドレスピット）が形成されており（これをランドプリピット，ＬＰＰ；Land Pre-Pitという）、このランドプリピットによってアドレス情報が予め記録されている。なお、この他に必要に応じ凹凸ピット（プリピット）を有することもある。また、ウォブルの向きを反転させたり、周波数を変調したりして情報を記録することもできる。
【００２３】
次に、各層について説明する。
（ａ）第１基板１について
第１基板１は、透明であるほか複屈折率が小さいなど光学特性に優れることが望ましい。また、射出成形が容易であるなど成形性に優れることが望ましい。さらに、吸湿性が小さいと反り等を低減できるため望ましい。
【００２４】
更に、光記録媒体がある程度の剛性を有するよう、形状安定性を備えるのが望ましい。但し第２基板８が十分な形状安定性を備えていれば、第１基板１は形状安定性が大きくなくても良い。
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。或いは、第１基板１は複数の層からなるものであっても良く、例えばガラスや樹脂等の基体上に、光硬化樹脂等の放射線硬化樹脂からなる樹脂層を設けたもの等も使用できる。なお、放射線とは、光（紫外線、可視光線、赤外線など）、電子線などの総称である。
【００２５】
なお、光学特性、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
第１基板１は薄い方が好ましく、通常厚さは２ｍｍ以下が好ましく、より好ましくは１ｍｍ以下である。対物レンズと記録層の距離が小さく、また基板が薄いほどコマ収差が小さくなる傾向があり、記録密度を上げやすいためである。但し、光学特性、吸湿性、成形性、形状安定性を十分得るためにはある程度の厚みが必要であり、通常１０μｍ以上が好ましく、より好ましくは３０μｍ以上である。
【００２６】
本光記録媒体においては、第１記録層２及び第２記録層５の両方に良好に記録又は再生を行なうために、対物レンズと両記録層との距離を適宜調節することが望ましい。例えば、対物レンズの焦点が両記録層のほぼ中間地点となるようにすると、両記録層にアクセスしやすく好ましい。
具体的に説明すると、ＤＶＤ−ＲＯＭ，ＤＶＤ−Ｒシステムにおいては、基板厚さ０．６ｍｍのときに対物レンズと記録層との距離が最適になるよう調節されている。
【００２７】
従って、本層構成においてＤＶＤ−ＲＯＭ互換の場合は、第１基板１の厚さは、０．６ｍｍから、中間樹脂層４の膜厚の２分の１を減じた厚さであることが最も好ましい。このとき、両記録層のほぼ中間地点が約０．６ｍｍとなり、両記録層にフォーカスサーボがかけやすい。
なお、第２記録層５と第１反射層３の間にバッファー層や保護層など他の層がある場合は、０．６ｍｍから、それらの層と中間樹脂層４の膜厚の和の２分の１を減じた厚さであることが最も好ましい。
【００２８】
第１基板１には凹凸が螺旋状又は同心円状に設けられ、溝及びランドを形成する。通常、このような溝及び／又はランドを記録トラックとして、第１記録層２に情報が記録又は再生される。波長６５０ｎｍのレーザを開口数０．６から０．６５の対物レンズで集光して記録又は再生が行なわれる、いわゆるＤＶＤ−Ｒディスクの場合、通常、第１記録層２は塗布形成されるので溝部で厚膜となり記録又は再生に適する。
【００２９】
本光記録媒体においては第１基板１の溝部、即ち光の入射方向に対して凸部を記録トラック１１とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００３０】
このような凹凸を有する基板は、コストの観点から、凹凸を持つスタンパから射出成形により製造するのが好ましい。ガラス等の基体上に光硬化樹脂等の放射線硬化樹脂からなる樹脂層を設ける場合は、樹脂層に記録トラックなどの凹凸を形成してもよい。
（ｂ）第１記録層２について
第１記録層２は、通常、片面型記録媒体（例えばＣＤ−Ｒ，ＤＶＤ−Ｒ，ＤＶＤ+Ｒ）等に用いる記録層と同程度の感度である。
【００３１】
また、良好な記録再生特性を実現するためには低発熱で高屈折率な色素であることが望ましい。
更に、第１記録層２と第１反射層３との組合せにおいて、光の反射、透過及び吸収を適切な範囲とすることが望ましい。記録感度を高くし、かつ記録時の熱干渉を小さくできる。
【００３２】
このような有機色素材料としては、大環状アザアヌレン系色素（フタロシアニン色素、ナフタロシアニン色素、ポルフィリン色素など）、ピロメテン系色素、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。
【００３３】
上述の各種有機色素の中でも含金属アゾ系色素は、記録感度に優れ、かつ、耐久性，耐光性に優れるため好ましい。特に下記一般式（Ｉ）又は（ＩＩ）
【００３４】
【化１】
2004213859.tif 000003
【００３５】
（環Ａ1及びＡ2は、各々独立に置換基を有していてもよい含窒素芳香族複素環であり、環Ｂ1及びＢ2は、各々独立に置換基を有していてもよい芳香族環である。Ｘは、少なくとも２個のフッ素原子で置換されている炭素数１〜６のアルキル基である。）で表される化合物が好ましい。
本光記録媒体の記録層に使用される有機色素は、３５０〜９００ｎｍ程度の可視光〜近赤外域に最大吸収波長λｍａｘを有し、青色〜近マイクロ波レーザでの記録に適する色素化合物が好ましい。通常ＣＤ−Ｒに用いられるような波長７７０〜８３０ｎｍ程度の近赤外レーザ（代表的には７８０ｎｍ，８３０ｎｍなど）や、ＤＶＤ−Ｒに用いられるような波長６２０〜６９０ｎｍ程度の赤色レーザ（代表的には６３５ｎｍ，６５０ｎｍ，６８０ｎｍなど）、あるいは波長４１０ｎｍや５１５ｎｍなどのいわゆるブルーレーザなどでの記録に適する色素がより好ましい。
【００３６】
色素は一種でもよいし、同じ種類のものや異なる種類のものを二種以上混合して用いても良い。さらに、上記複数の波長の記録光に対し、各々での記録に適する色素を併用して、複数の波長域でのレーザ光による記録に対応する光記録媒体とすることもできる。
また記録層は、記録層の安定や耐光性向上のために、一重項酸素クエンチャーとして遷移金属キレート化合物（例えば、アセチルアセトナートキレート、ビスフェニルジチオール、サリチルアルデヒドオキシム、ビスジチオ−α−ジケトン等）等や、記録感度向上のために金属系化合物等の記録感度向上剤を含有していても良い。ここで金属系化合物とは、遷移金属等の金属が原子、イオン、クラスター等の形で化合物に含まれるものを言い、例えばエチレンジアミン系錯体、アゾメチン系錯体、フェニルヒドロキシアミン系錯体、フェナントロリン系錯体、ジヒドロキシアゾベンゼン系錯体、ジオキシム系錯体、ニトロソアミノフェノール系錯体、ピリジルトリアジン系錯体、アセチルアセトナート系錯体、メタロセン系錯体、ポルフィリン系錯体のような有機金属化合物が挙げられる。金属原子としては特に限定されないが、遷移金属であることが好ましい。
【００３７】
さらに本光記録媒体の記録層には、必要に応じて、バインダー、レベリング剤、消泡剤等を併用することもできる。好ましいバインダーとしては、ポリビニルアルコール、ポリビニルピロリドン、ニトロセルロース、酢酸セルロース、ケトン系樹脂、アクリル系樹脂、ポリスチレン系樹脂、ウレタン系樹脂、ポリビニルブチラール、ポリカーボネート、ポリオレフィン等が挙げられる。
【００３８】
記録層の膜厚は、記録方法などにより適した膜厚が異なるため、特に限定するものではないが、十分な変調度を得るためには通常５ｎｍ以上が好ましく、より好ましくは１０ｎｍ以上であり、特に好ましくは２０ｎｍ以上である。但し、本光記録媒体においては適度に光を透過させるためには厚すぎない必要があるため、通常３μｍ以下であり、好ましくは１μｍ以下、より好ましくは２００ｎｍ以下である。記録層の膜厚は通常、溝部とランド部で異なるが、本光記録媒体において記録層の膜厚は基板の溝部における膜厚を言う。
【００３９】
記録層の成膜方法としては、真空蒸着法、スパッタリング法、ドクターブレード法、キャスト法、スピンコート法、浸漬法等一般に行われている薄膜形成法が挙げられるが、量産性、コスト面からはスピンコート法が好ましい。また厚みの均一な記録層が得られるという点からは、塗布法より真空蒸着法の方が好ましい。
スピンコート法による成膜の場合、回転数は１０〜１５０００ｒｐｍが好ましく、スピンコートの後、加熱あるいは溶媒蒸気にあてる等の処理を行っても良い。
【００４０】
ドクターブレード法、キャスト法、スピンコート法、浸漬法等の塗布方法により記録層を形成する場合の塗布溶媒としては、基板を侵さない溶媒であればよく、特に限定されない。例えば、ジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。
【００４１】
真空蒸着法の場合は、例えば有機色素と、必要に応じて各種添加剤等の記録層成分を、真空容器内に設置されたるつぼに入れ、真空容器内を適当な真空ポンプで１０-2〜１０-5Ｐａ程度にまで排気した後、るつぼを加熱して記録層成分を蒸発させ、るつぼと向き合って置かれた基板上に蒸着させることにより、記録層を形成する。
（ｃ）第１反射層３について
第１反射層３は、ある程度の光透過率を持つ反射層である。つまり、記録再生光の吸収が小さく、光透過率が４０％以上あり、かつ適度な光反射率（通常、３０％以上）を持つ反射層である。例えば、反射率の高い金属を薄く設けることにより適度な透過率を持たせることができる。また、ある程度の耐食性があることが望ましい。更に、第１反射層３の上層（ここでは中間樹脂層４）の浸み出しにより第１記録層２が影響されないよう遮断性を持つことが望ましい。
【００４２】
高透過率を確保するために、第１反射層３の厚さは通常、５０ｎｍ以下が好適である。より好適には３０ｎｍ以下である。更に好ましくは２５ｎｍ以下である。但し、第１記録層２が第１反射層３の上層により影響されないために、ある程度の厚さが必要であり、通常３ｎｍ以上とする。より好ましくは５ｎｍ以上とする。
第１反射層３の材料としては、再生光の波長で反射率が適度に高いもの、例えば、Ａｕ、Ａｌ、Ａｇ、Ｃｕ、Ｔｉ、Ｃｒ、Ｎｉ、Ｐｔ、Ｔａ、Ｐｄ、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を単独あるいは合金にして用いることが可能である。この中でもＡｕ、Ａｌ、Ａｇは反射率が高く第１反射層３の材料として適している。これらを主成分とする以外に他成分を含んでいても良い。
【００４３】
なかでもＡｇを主成分としているものはコストが安い点、反射率が高い点から特に好ましい。ここで主成分とは含有率が５０％以上のものをいう。
第１反射層３は膜厚が薄く、膜の結晶粒が大きいと再生ノイズの原因となるため、結晶粒が小さい材料を用いるのが好ましい。純銀は結晶粒が大きい傾向があるためＡｇは合金として用いるのが好ましい。
【００４４】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００４５】
第１反射層３としてはＡｕのみからなる層は結晶粒が小さく、耐食性に優れ好適である。ただし、Ａｇ合金に比べて高価である。
また、第１反射層３としてＳｉからなる層を用いることも可能である。
金属以外の材料で低屈折率薄膜と高屈折率薄膜を交互に積み重ねて多層膜を形成し、反射層として用いることも可能である。
【００４６】
第１反射層３を形成する方法としては、例えば、スパッタ法、イオンプレーティング法、化学蒸着法、真空蒸着法等が挙げられる。また、第１基板１と第１反射層３との間に、例えば反射率の向上，記録特性の改善，密着性の向上等のために公知の無機系または有機系の中間層又は接着層を設けても良い。例えば、第１基板１上に、中間層（又は接着層），第１記録層２，中間層（又は接着層），第１反射層３の順に積層させることで、第１基板１と第１記録層２との間に中間層（又は接着層）を設け、第１記録層２と第１反射層３との間に中間層（又は接着層）を設けても良い。
（ｄ）中間樹脂層４について
中間樹脂層４は、透明である必要があるほか、凹凸により溝やピットが形成可能である必要がある。また接着力が高く、硬化接着時の収縮率が小さいと媒体の形状安定性が高く好ましい。
【００４７】
そして、中間樹脂層４は、第２記録層５にダメージを与えない材料からなることが望ましい。但し、中間樹脂層４は通常、樹脂からなるため第２記録層５と相溶しやすく、これを防ぎダメージを抑えるために両層の間に後述のバッファー層を設けることが望ましい。
さらに、中間樹脂層４は、第１反射層３にダメージを与えない材料からなることが望ましい。但し、ダメージを抑えるために両層の間に後述のバッファー層を設けることもできる。
【００４８】
本光記録媒体において、中間樹脂層４の膜厚は正確に制御することが好ましい。中間樹脂層４の膜厚は、通常５μｍ以上が好ましい。２層の記録層に別々にフォーカスサーボをかけるためには両記録層の間にある程度の距離がある必要がある。フォーカスサーボ機構にもよるが、通常５μｍ以上、好ましくは１０μｍ以上が必要である。一般に、対物レンズの開口数が高いほどその距離は小さくてよい傾向がある。但しあまり厚いと２層の記録層にフォーカスサーボを合わせるのに時間を要し、また対物レンズの移動距離も長くなるため好ましくない。また硬化に時間を要し生産性が低下するなどの問題があるため、通常、１００μｍ以下が好ましい。
【００４９】
中間樹脂層４には凹凸が螺旋状又は同心円状に設けられ、溝及びランドを形成する。通常、このような溝及び／又はランドを記録トラックとして、第２記録層５に情報が記録又は再生される。通常、第２記録層５は塗布形成されるので溝部で厚膜となり記録又は再生に適する。本光記録媒体においては中間樹脂層４の溝部、即ち光の入射方向に対して凸部を記録トラック１２とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００５０】
このような凹凸は、コストの観点から、凹凸を持つ樹脂スタンパ等から光硬化性樹脂などの硬化性樹脂に転写、硬化させて製造するのが好ましい。以下、このような方法を２Ｐ法（Photo Polymerization法）と称することがある。
中間樹脂層４の材料としては、例えば、熱可塑性樹脂、熱硬化性樹脂、電子線硬化性樹脂、紫外線硬化性樹脂（遅延硬化型を含む）等を挙げることができる。
【００５１】
熱可塑性樹脂、熱硬化性樹脂などは適当な溶剤に溶解して塗布液を調製し、これを塗布し、乾燥（加熱）することによって形成することができる。紫外線硬化性樹脂は、そのままもしくは適当な溶剤に溶解して塗布液を調製した後にこの塗布液を塗布し、紫外光を照射して硬化させることによって形成することができる。紫外線硬化性樹脂には様々な種類があり、透明であればいずれも用いうる。またそれらの材料を単独であるいは混合して用いても良いし、１層だけではなく多層膜にして用いても良い。
【００５２】
塗布方法としては、記録層と同様にスピンコート法やキャスト法等の塗布法等の方法が用いられるが、この中でもスピンコート法が好ましい。或いは、粘度の高い樹脂はスクリーン印刷等によっても塗布形成できる。紫外線硬化性樹脂は、生産性を２０〜４０℃において液状であるものを用いると、溶媒を用いることなく塗布でき好ましい。また、粘度は２０〜１０００ｍＰａ・ｓとなるように調製するのが好ましい。
【００５３】
さて、紫外線硬化性接着剤としては、ラジカル系紫外線硬化性接着剤とカチオン系紫外線硬化性接着剤があるが、いずれも使用可能である。
ラジカル系紫外線硬化性接着剤としては、公知の全ての組成物を用いることができ、紫外線硬化性化合物と光重合開始剤を必須成分として含む組成物が用いられる。紫外線硬化性化合物としては、単官能（メタ）アクリレートや多官能（メタ）アクリレートを重合性モノマー成分として用いることができる。これらは、各々、単独または２種類以上併用して用いることができる。ここで、本発明では、アクリレートとメタアクリレートとを併せて（メタ）アクリレートと称する。
【００５４】
本光記録媒体に使用できる重合性モノマーとしては例えば以下のものが挙げられる。単官能（メタ）アクリレートとしては例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル，カプロラクトン変性テトラヒドロフルフリル、イソボルニル，ジシクロペンタニル，ジシクロペンテニル，ジシクロペンテニロキシエチル等の如き基を有する（メタ）アクリレート等が挙げられる。
【００５５】
また、多官能（メタ）アクリレートとしては例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００５６】
また、重合性モノマーと同時に併用できるものとしては、重合性オリゴマーとしてポリエステル（メタ）アクリレート、ポリエーテル（メタ）アクリレート、エポキシ（メタ）アクリレート、ウレタン（メタ）アクリレート等がある。
更に、本光記録媒体に使用する光重合開始剤は、用いる重合性オリゴマーおよび／または重合性モノマーに代表される紫外線硬化性化合物が硬化できる公知のものがいずれも使用できる。光重合開始剤としては、分子開裂型または水素引き抜き型のものが本光記録媒体に好適である。
【００５７】
このような例としては、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、さらにこれら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン、４−ベンゾイル−４'−メチル−ジフェニルスルフィド等も併用できる。
【００５８】
また光重合開始剤に対する増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４'−ビス（ジエチルアミノ）ベンゾフェノン等の、前述重合性成分と付加反応を起こさないアミン類を併用することもできる。もちろん、上記光重合開始剤や増感剤は、紫外線硬化性化合物への溶解性に優れ、紫外線透過性を阻害しないものを選択して用いることが好ましい。
【００５９】
また、カチオン系紫外線硬化性接着剤としては公知のすべての組成物を用いることができ、カチオン重合型の光開始剤を含むエポキシ樹脂がこれに該当する。カチオン重合型の光開始剤としては、スルホニウム塩、ヨードニウム塩およびジアゾニウム塩等がある。
ヨードニウム塩の１例を示すと以下の通りである。ジフェニルヨードニウム ヘキサフルオロホスフェード、ジフェニルヨードニウム ヘキサフルオロアンチモネート、ジフェニルヨードニウム テトラフルオロボレート、ジフェニルヨードニウム テトラキス（ペンタフルオロフェニル）ボレート、ビス（ドデシルフェニル）ヨードニウム ヘキサフルオロホスフェート、ビス（ドデシルフェニル）ヨードニウム ヘキサフルオロアンチモネート、ビス（ドデシルフェニル）ヨードニウム テトラフルオロボレート、ビス（ドデシルフェニル）ヨードニウム
テトラキス（ペンタフルオロフェニル）ボレート、４−メチルフェニル−４−（１−メチルエチル）フェニルヨードニウム ヘキサフルオロホスフェート、４−メチルフェニル−４−（１−メチルエチル）フェニルヨードニウム ヘキサフルオロアンチモネート、４−メチルフェニル−４−（１−メチルエチル）フェニルヨードニウム テトラフルオロボレート、４−メチルフェニル−４−（１−メチルエチル）フェニルヨードニウム テトラキス（ペンタフルオロフェニル）ボレート、などが挙げられる。
【００６０】
エポキシ樹脂は、ビスフェノールＡ−エピクロールヒドリン型、脂環式エポキシ、長鎖脂肪族型、臭素化エポキシ樹脂、グリシジルエステル型、グリシジルエーテル型、複素環式系等種々のものがいずれであってもかまわない。
エポキシ樹脂としては、反射層にダメージを与えないよう、遊離したフリーの塩素および塩素イオン含有率が少ないものを用いるのが好ましい。塩素の量が１重量％以下が好ましく、より好ましくは０．５重量％以下である。
【００６１】
カチオン型紫外線硬化性樹脂１００重量部当たりのカチオン重合型光開始剤の割合は通常、０．１〜２０重量部であり、好ましくは０．２〜５重量部である。なお、紫外線光源の波長域の近紫外領域や可視領域の波長をより有効に利用するため、公知の光増感剤を併用することができる。この際の光増感剤としては、例えばアントラセン、フェノチアジン、ベンジルメチルケタール、ベンゾフェノン、アセトフェノン等が挙げられる。
【００６２】
また、紫外線硬化性接着剤には、必要に応じてさらにその他の添加剤として、熱重合禁止剤、ヒンダードフェノール、ヒンダードアミン、ホスファイト等に代表される酸化防止剤、可塑剤およびエポキシシラン、メルカプトシラン、（メタ）アクリルシラン等に代表されるシランカップリング剤等を、各種特性を改良する目的で配合することもできる。これらは、紫外線硬化性化合物への溶解性に優れたもの、紫外線透過性を阻害しないものを選択して用いる。
（ｅ）第２記録層５について
第２記録層５は、通常、片面型記録媒体（例えばＣＤ−Ｒ，ＤＶＤ−Ｒ，ＤＶＤ+Ｒ）等に用いる記録層よりも高感度である。本光記録媒体においては、入射した光ビームのパワーが第１記録層２や第１反射層３の存在等で減少するため、約半分のパワーで記録するために、特に感度が高い必要があるのである。
【００６３】
また、良好な記録再生特性を実現するためには低発熱で高屈折率な色素であることが望ましい。
更に、第２記録層５と第２反射層６との組合せにおいて、光の反射及び吸収を適切な範囲とすることが望ましい。記録感度を高くし、かつ記録時の熱干渉を小さくできる。
第２記録層５の材料、成膜方法等についてはほぼ第１記録層２と同様に説明されるため、異なる点のみ説明する。
【００６４】
第２記録層５の膜厚は、記録方法などにより適した膜厚が異なるため、特に限定するものではないが、十分な変調度を得るためには通常１０ｎｍ以上が好ましく、より好ましくは３０ｎｍ以上であり、特に好ましくは５０ｎｍ以上である。但し、適度な反射率を得るためには厚すぎない必要があるため、通常３μｍ以下であり、好ましくは１μｍ以下、より好ましくは２００ｎｍ以下である。
【００６５】
第１記録層２と第２記録層５とに用いる材料は同じでも良いし異なっていてもよい。
（ｆ）第２反射層６について
第２反射層６は、高反射率である必要がある。また、高耐久性であることが望ましい。
高反射率を確保するために、第２反射層６の厚さは通常、２０ｎｍ以上が好適である。より好適には３０ｎｍ以上である。更に好ましくは５０ｎｍ以上である。但し、生産のタクトタイムを短くし、コストを下げるためにはある程度薄いことが好ましく、通常４００ｎｍ以下とする。より好ましくは３００ｎｍ以下とする。
【００６６】
第２反射層６の材料としては、再生光の波長で反射率の十分高いもの、例えば、Ａｕ、Ａｌ、Ａｇ、Ｃｕ、Ｔｉ、Ｃｒ、Ｎｉ、Ｐｔ、Ｔａ及びＰｄの金属を単独あるいは合金にして用いることが可能である。この中でもＡｕ、Ａｌ、Ａｇは反射率が高く第２反射層６の材料として適している。これらを主成分とする以外に他成分として下記のものを含んでいても良い。他成分の例としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を挙げることができる。
【００６７】
中でもＡｇを主成分としているものはコストが安い点、高反射率が出やすい点、更に後で述べる印刷受容層を設ける場合には地色が白く美しいものが得られる点等から特に好ましい。ここで主成分とは含有率が５０％以上のものをいう。
第２反射層６は高耐久性（高耐食性）を確保するため、Ａｇは純銀よりも合金として用いるのが好ましい。
【００６８】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００６９】
第２反射層６としてはＡｕのみからなる層は高耐久性（高耐食性）が高く好適である。ただし、Ａｇ合金に比べて高価である。
金属以外の材料で低屈折率薄膜と高屈折率薄膜を交互に積み重ねて多層膜を形成し、第２反射層６として用いることも可能である。
第２反射層６を形成する方法としては、例えば、スパッタ法、イオンプレーティング法、化学蒸着法、真空蒸着法等が挙げられる。また、第２反射層６の上下に、例えば反射率の向上、記録特性の改善、密着性の向上等のために公知の無機系または有機系の中間層又は接着層を設けても良い。
（ｇ）接着層７について
接着層７は、透明である必要はないが、接着力が高く、硬化接着時の収縮率が小さいと媒体の形状安定性が高く好ましい。
【００７０】
また、接着層７は第２反射層６にダメージを与えない材料からなることが望ましい。但し、ダメージを抑えるために両層の間に公知の無機系または有機系の保護層を設けることもできる。
本光記録媒体において、接着層７の膜厚は、通常２μｍ以上が好ましい。所定の接着力を得るためにはある程度の膜厚が必要である。より好ましくは５μｍ以上である。但し光記録媒体をできるだけ薄くするために、また硬化に時間を要し生産性が低下するなどの問題があるため、通常、１００μｍ以下が好ましい。
【００７１】
接着層７の材料は、中間樹脂層４の材料と同様のものが用いうるほか、感圧式両面テープ等も使用可能である。感圧式両面テープを第２反射層６と第２基板８との間に挟んで押圧することにより、接着層７を形成できる。
（ｈ）第２基板８について
第２基板８は、光記録媒体がある程度の剛性を有するよう、形状安定性を備えるのが望ましい。即ち機械的安定性が高く、剛性が大きいことが好ましい。また接着層７との接着性が高いことが望ましい。
【００７２】
上述のように第１基板１が十分な形状安定性を備えていない場合は、第２基板８は特に形状安定性が高い必要がある。この点で吸湿性が小さいことが望ましい。但し第２基板８は透明である必要はない。また第２基板８は鏡面基板で良く、凹凸を形成する必要はないので射出成形による転写性は必ずしも良い必要はない。
このような材料としては、第１基板１に用いうる材料と同じものが用い得るほか、例えば、Ａｌを主成分とした例えばＡｌ−Ｍｇ合金等のＡｌ合金基板や、Ｍｇを主成分とした例えばＭｇ−Ｚｎ合金等のＭｇ合金基板、シリコン、チタン、セラミックスのいずれかからなる基板やそれらを組み合わせた基板などを用いることができる。
【００７３】
なお、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
光記録媒体に十分な剛性を持たせるために、第２基板８はある程度厚いことが好ましく、厚さは０．３ｍｍ以上が好ましい。但し薄いほうが記録再生装置の薄型化に有利であり、好ましくは３ｍｍ以下である。より好ましくは１．５ｍｍ以下である。
【００７４】
第２基板８は凹凸を持たない鏡面基板で良いが、生産しやすさの観点から、射出成型により製造するのが望ましい。
第１基板１と第２基板８の好ましい組合せの一例は、第１基板１と第２基板８とが同一材料からなり、厚さも同一である。剛性が同等でバランスが取れているので、環境変化に対しても媒体として変形しにくく好ましい。この場合、環境が変化したときの変形の程度や方向も両基板で同様であると好ましい。
【００７５】
他の好ましい組合せの一例は、第１基板１が０．１ｍｍ程度と薄く、第２基板８が１．１ｍｍ程度と厚いものである。対物レンズが記録層に近づきやすく記録密度を上げやすいため好ましい。このとき第１基板１はシート状であってもよい。
（ｉ）その他の層について
上記積層構造において、必要に応じて任意の他の層を挟んでも良い。或いは媒体の最外面に任意の他の層を設けても良い。具体的には、第１反射層３と中間樹脂層４との間、中間樹脂層４と第２記録層５との間、第２反射層６と接着層７との間、などに中間層としてのバッファー層を設けてもよい。
【００７６】
バッファー層は２つの層の混和を防止し、相溶を防ぐものである。バッファー層が混和現象を防止する以外の他の機能を兼ねていても良い。また必要に応じてさらに他の中間層を挟んでも良い。
バッファー層の材料は、第２記録層５や中間樹脂層４と相溶せず、かつ、ある程度の光透過性をもつ必要があるが、公知の無機物及び有機物が用いうる。特性面からは、好ましくは無機物が用いられる。例えば、(i)金属又は半導体、(ii)金属又は半導体の酸化物、窒化物、硫化物、酸硫化物、フッ化物又は炭化物、もしくは(iii)非晶質カーボン、などが用いられる。中でも、ほぼ透明な誘電体からなる層や、ごく薄い金属層（合金を含む）が好ましい。
【００７７】
具体的には、酸化珪素、特に二酸化珪素や、酸化亜鉛、酸化セリウム、酸化イットリウム等の酸化物；硫化亜鉛、硫化イットリウムなどの硫化物；窒化珪素などの窒化物；炭化珪素；酸化物とイオウとの混合物（酸硫化物）；および後述の合金などが好適である。また、酸化珪素と硫化亜鉛との３０：７０〜９０：１０程度（重量比）の混合物も好適である。また、イオウと二酸化イットリウムと酸化亜鉛との混合物（Ｙ2Ｏ2Ｓ−ＺｎＯ）も好適である。
【００７８】
金属や合金としては、銀、又は銀を主成分とし更にチタン、亜鉛、銅、パラジウム、及び金よりなる群から選ばれる少なくとも１種の元素を０．１〜１５原子％含有するものが好適である。また、銀を主成分とし、少なくとも１種の希土類元素を０．１〜１５原子％含有するものも好適である。この希土類としては、ネオジウム、プラセオジウム、セリウム等が好適である。
【００７９】
その他、バッファー層作製時に記録層の色素を溶解しないようなものであれば樹脂層でも構わない。特に、真空蒸着やＣＶＤ法で作製可能な高分子膜が有用である。
バッファー層の厚さは２ｎｍ以上が好ましく、より好ましくは５ｎｍ以上である。バッファー層の厚さが過度に薄いと、上記の混和現象の防止が不十分となる虞がある。但し２０００ｎｍ以下が好ましく、より好ましくは５００ｎｍ以下である。バッファー層が過度に厚いと、混和防止には不必要であるばかりでなく、光の透過率を低下させるおそれもある。また無機物からなる層の場合には成膜に時間を要し生産性が低下したり、膜応力が高くなったりする虞があり２００ｎｍ以下が好ましい。特に、金属の場合は光の透過率を過度に低下させるため、２０ｎｍ以下程度が好ましい。
【００８０】
また、記録層や反射層を保護するために保護層を設けても良い。保護層の材料としては、記録層や反射層を外力から保護するものであれば特に限定されない。有機物質の材料としては、熱可塑性樹脂、熱硬化性樹脂、電子線硬化性樹脂、紫外線硬化性樹脂等を挙げることができる。また、無機物質としては、酸化ケイ素、窒化ケイ素、ＭｇＦ2、ＳｎＯ2等が挙げられる。
【００８１】
熱可塑性樹脂、熱硬化性樹脂などは適当な溶剤に溶解して塗布液を調製し、これを塗布、乾燥することによって形成することができる。紫外線硬化性樹脂は、そのままもしくは適当な溶剤に溶解して塗布液を調製した後にこの塗布液を塗布し、ＵＶ光を照射して硬化させることによって形成することができる。紫外線硬化性樹脂としては、例えば、ウレタンアクリレート、エポキシアクリレート、ポリエステルアクリレートなどのアクリレート系樹脂を用いることができる。これらの材料は単独であるいは混合して用いても良いし、１層だけではなく多層膜にして用いても良い。
【００８２】
保護層の形成方法としては、記録層と同様にスピンコート法やキャスト法等の塗布法やスパッタ法や化学蒸着法等の方法が用いられるが、この中でもスピンコート法が好ましい。
保護層の膜厚は、一般に０．１〜１００μｍの範囲であるが、本光記録媒体においては、３〜５０μｍが好ましい。
【００８３】
更に、上記光記録媒体には、必要に応じて、記録光又は再生光の入射面ではない面に、インクジェット、感熱転写等の各種プリンタ、或いは各種筆記具にて記入（印刷）が可能な印刷受容層を設けてもよい。
或いは、本層構成の他に記録層を設けて記録層を３層以上としても良い。また、本層構成の光記録媒体を２枚、第１基板１を外側にして貼合わせて、記録層を４層有する、より大容量媒体とすることもできる。
（Ｂ）タイプ２
図２は本実施形態にかかる光記録媒体（タイプ２）を示す模式的な断面図である。
【００８４】
本実施形態にかかるタイプ２の光記録媒体（貼り合わせ型の片面入射型光記録媒体）は、ディスク状の透明な（光透過性の）第１基板（第１の基板，第１光透過性基板）２１上に、色素を含む第１記録層（第１の記録層，第１色素含有記録層）２２、半透明の第１反射層（以下、半透明反射層ともいう）２３、透明接着層（中間層）２４、バッファー層２８、色素を含む第２記録層（第２の記録層，第２色素含有記録層）２５、第２反射層２６、ディスク状の透明な第２基板（第２の基板）２７をこの順に有してなる。光ビームは第１基板２１側から照射され、記録又は再生が行われる。なお、透明であるとは光記録媒体の記録又は再生に用いる光ビームに対して透明であることを言う。
【００８５】
第１基板２１、第２基板２７上にはそれぞれ凹凸が形成され、それぞれ記録トラックを構成する。第１基板２１上の記録トラック３１は、光の入射方向に対して凸部で構成される。第２基板２７上の記録トラック３２は、光の入射方向に対して凹部で構成される。
なお、記録トラック３１は、第１基板２１の溝部、即ち光の入射方向に対して凹部で構成し、記録トラック３２は、第２基板２７の溝部、即ち光の入射方向に対して凸部で構成しても良いが、一般には、記録トラック３１は、光の入射方向に対して凸部で構成し、記録トラック３２は、光の入射方向に対して凹部で構成するのが好ましい。また、この他に必要に応じ凹凸ピットを有することもある。特に断らない限り、本実施形態において凹凸は記録又は再生に用いる光の入射方向に対して定義される。
【００８６】
次に、各層について説明する。
本実施形態にかかるタイプ２の光記録媒体の第１基板２１，第１記録層２２，第１反射層２３，第２記録層２５，第２反射層２６は、それぞれタイプ１の光記録媒体の第１基板１，第１記録層２，第１反射層３，第２記録層５，第２反射層６と略同様である。
また、中間層としての透明接着層２４は、凹凸により溝やピットを形成する必要がないという以外は、タイプ１の光記録媒体の中間樹脂層４と略同様である。なお、本タイプ２の光記録媒体では、上記の溝やピットは後述する第２基板２７に形成されている。
【００８７】
さらに、中間層としてのバッファー層２８は、第１実施形態において説明したバッファー層と略同様の構成である。なお、このバッファー層は必要に応じて形成するようにしても良い。
第２基板２７は、透明であるほか、光記録媒体がある程度の剛性を有するよう、形状安定性を備えるのが望ましい。即ち機械的安定性が高く、剛性が大きいことが好ましい。
【００８８】
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。
第２基板２７には、凹凸が螺旋状又は同心円状に設けられ、溝及びランドを形成する。通常、このような溝及び／又はランドを記録トラックとして、第２記録層２５に情報が記録又は再生される。通常、第２記録層２５は塗布形成されるので溝部で厚膜となり記録又は再生に適する。本光記録媒体においては第２基板２７の溝部、即ち光の入射方向に対して凹部を記録トラック３２とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００８９】
このような凹凸を有する第２基板２７は、コストの観点から、凹凸を持つスタンパから樹脂を用いて射出成形により製造するのが好ましい。ガラス等の基体上に光硬化性樹脂等の放射線硬化性樹脂からなる樹脂層を設ける場合は、樹脂層に記録トラックなどの凹凸を形成してもよい。
なお、ここでは、色素含有記録層を含む追記型光記録媒体（ここではＤＶＤ−Ｒ）について説明したが、光記録媒体はこれに限られるものではなく、片面側からのレーザ光の照射により情報を記録又は再生しうる複数の記録層を備える光記録媒体であれば良い。例えば、記録層として例えば結晶状態の部分を未記録状態・消去状態とし、非晶質状態の部分を記録状態とする相変化型記録層を含む書換型光記録媒体（例えばＤＶＤ−ＲＷ，ＤＶＤ＋ＲＷ，ＤＶＤ−ＲＡＭなど）や記録層として磁性記録層を含む光磁気型の光記録媒体であっても良い。
【００９０】
ここで、光記録媒体をＤＶＤ−ＲＷとする場合には、上述のＤＶＤ−Ｒの場合と同様に、アドレス情報をランドプリピットにより予め記録しておけば良い。また、光記録媒体をＤＶＤ＋ＲＷとする場合には、アドレス情報をウォブルに重畳させて予め記録しておけば良い（これをＡＤＩＰ；Address in Pre-groove,アドレスインプリグルーブという）。
また、相変化型記録層を含む書換型光記録媒体に本発明を適用する場合には、上述の実施形態における光記録媒体の第１記録層及び第２記録層は、いずれも第１保護層，情報記録層，第２保護層からなるものとして構成される。
【００９１】
ここで、情報記録層の材質としては、レーザ光を照射することによりその光学定数（屈折率ｎ，消衰係数ｋ）が変化する材料を用いることが好ましい。このような材料としては、ＴｅやＳｅをベースとするカルコゲナイド、例えばＧｅ−Ｓｂ−Ｔｅ，Ｇｅ−Ｔｅ，Ｐｄ−Ｇｅ−Ｓｂ−Ｔｅ，Ｉｎ−Ｓｂ−Ｔｅ，Ｓｂ−Ｔｅ，Ａｇ−Ｉｎ−Ｓｂ−Ｔｅ，Ｇｅ−Ｓｂ−Ｂｉ−Ｔｅ，Ｇｅ−Ｓｂ−Ｓｅ−Ｔｅ，Ｇｅ−Ｓｎ−Ｔｅ，Ｇｅ−Ｓｎ−Ｔｅ−Ａｕ，Ｇｅ−Ｓｂ−Ｔｅ−Ｃｒ，Ｉｎ−Ｓｅ，Ｉｎ−Ｓｅ−Ｃｏ等を主成分とする合金系、あるいはこれらに窒素，酸素等を適宜添加した合金系を挙げることができる。
【００９２】
また、第１保護層及び第２保護層の材料としては、レーザ光照射時の保護基板，情報記録層等の熱的損傷によるノイズ増加の抑制、レーザ光に対する反射率、吸収率及び反射光の位相の調整等の目的で、物理的・化学的に安定であって、情報記録層よりも融点及び軟化温度が高く、情報記録層の材料と相固溶しない材料を用いることが好ましい。このような材料としては、例えば、Ｙ，Ｃｅ，Ｔｉ，Ｚｒ，Ｎｂ，Ｔａ，Ｃｏ，Ｚｎ，Ａ１，Ｓｉ，Ｇｅ，Ｓｎ，Ｐｂ，Ｓｂ，Ｂｉ，Ｔｅ等の酸化物、Ｔｉ，Ｚｒ，Ｎｂ，Ｔａ，Ｃｒ，Ｍｏ，Ｗ，Ｂ，Ａ１，Ｇａ，Ｉｎ，Ｓｉ，Ｇｅ，Ｓｎ，Ｐｂ等の窒化物、Ｔｉ，Ｚｒ，Ｎｂ，Ｔａ，Ｃｒ，Ｍｏ，Ｗ，Ｓｉ等の炭化物、Ｚｎ，Ｃｄ等の硫化物、セレン化物またはテルル化物、Ｍｇ，Ｃａ等のフッ化物、Ｃ，Ｓｉ，Ｇｅ等の単体、あるいはこれらの混合物からなる誘電体または誘電体に準ずる材料を挙げることができる。なお、第１保護層及び第２保護層は、同一の材料を用いることもできるが、必要に応じてそれぞれ異なる材料を用いても良い。
【００９３】
ところで、上述のように、複数（ここでは２つ）の記録層２，５（２２，２５）を有し、片面側からレーザ光を照射することでそれぞれの層２，５（２２，２５）に情報を記録又は再生する片面入射型光記録媒体（例えばデュアルレイヤタイプの片面入射型ＤＶＤ−Ｒ）では、記録層毎に、例えば記録パルスストラテジ，記録パワー，再生パワー等の最適な記録再生条件が大きく異なってしまう。なお、記録再生条件には、記録パルスストラテジ（ライトストラテジ），記録パワー等の記録条件と、再生パワー等の再生条件とが含まれる。
【００９４】
特に、記録条件を最適なものとすることは重要である。これは、再生条件が多少ずれていたとしても再生できないということはあまりないが、記録条件が最適でないと、実際に書き込みが行なえなかったり、書き込みが行なえたとしても、その情報を再生する場合に信号品質が良くなかったりするためである。
このため、複数の記録層を有する片面入射型光記録媒体の各記録層２，５（２２，２５）に対して情報の記録又は再生を行なう記録再生装置（ドライブ）において、記録層２，５（２２，２５）に応じて、例えば記録パルスストラテジ，記録パワー，再生パワー等の記録再生条件を切り替えることができるようにし、情報の記録又は再生を正確、かつ、確実に行なえるようにしたい。特に、上述のように記録条件を最適なものとすることは重要であるため、記録層２，５（２２，２５）に応じて、最適な記録条件に切り替えることができるようにし、情報の記録を正確、かつ、確実に行なえるようにしたい。
【００９５】
この場合、例えば、複数の記録層２，５（２２，２５）にわたって連続してアドレス情報を付け、記録再生装置において、読み出したアドレス情報に基づいてどの層であるかを判定することも考えられるが、これではどの層であるかを瞬時に判断するのは難しい。
そこで、本実施形態では、情報の記録又は再生を行なおうとする記録層２，５（２２，２５）に応じて、例えば記録パルスストラテジ（記録ストラテジ，ライトストラテジ），記録パワー，再生パワー等の記録再生条件を瞬時に切り替えることができるように、光記録媒体の各記録層２，５（２２，２５）のそれぞれにレイヤ情報（記録層番号に関する情報；レイヤ０，レイヤ１）を記録している。
【００９６】
ここで、レイヤ情報の記録方法としては、例えば以下の(i)，(ii)に示すような方法が考えられる。
(i)各記録層２，５（２２，２５）の記録管理領域（ＲＭＡ；Recording Management Area，例えばコントロールトラック，最内周部）に、例えばプリピット（ランドプリピット）やウォブルによって記録する。
(ii)各記録層２，５（２２，２５）の記録領域のほぼ全面にわたって、例えばプリピット（ランドプリピット）やウォブルによって記録する。ここで、「ほぼ全面」に記録するには、各記録層２，５（２２，２５）の記録管理領域を含む記録領域の全面に記録する場合（例えば記録管理領域ではアドレスの一部として記録する）、各記録層２，５（２２，２５）の記録管理領域を除く記録領域の全面に記録する場合などが含まれる。特に、記録管理領域にレイヤ情報を記録することができない場合は、記録管理領域を除く記録領域の全面に記録するのが有効である。また、ランダムアクセスして情報の記録又は再生を行なう場合にも有効である。
【００９７】
例えば、ウォブルやプリピット（ランドプリピット）のアドレス情報の一部として記録すれば良い。これにより、各記録層２，５（２２，２５）に簡便な方法でレイヤ情報を記録できることになる。また、アドレス情報の一部としてレイヤ情報を記録することで、アドレス情報に基づいてランダムアクセスして情報の記録又は再生を行なう場合に、所望のアドレスにアクセスしてフォーカスサーボをかけただけでレイヤ情報を読み出すことができるため、これに基づいて、例えば記録パルスストラテジ，記録パワー，再生パワー等の記録再生条件を瞬時に切り替えることができるようになる。
【００９８】
ここで、アドレス情報の一部としてレイヤ情報を記録する方法としては、例えば以下の（i）〜(v)の方法が考えられる。
(i)まず、ウォブルのアドレス情報（例えばＡＤＩＰ；Address in pre-groove）の一部として記録する方法として、例えば２つの記録層２，５（２２，２５）においてウォブルのアドレス情報（例えばＡＤＩＰ；Address in pre-groove）に含まれるｓｙｎｃパターン（同期パターン）を反転させる方法がある。
【００９９】
例えば、第１記録層２（２２）のＡＤＩＰに含まれるｓｙｎｃパターン（同期パターン）の向きに対して、第２記録層５（２５）のＡＤＩＰに含まれるｓｙｎｃパターン（同期パターン）の向きを逆向き（反転）にすれば良い。
(ii)また、各記録層２，５（２２，２５）の記録領域（記録管理領域を含む）に形成されるウォブルやランドプリピットのアドレス情報の一部として記録する方法として、各記録層２，５（２２，２５）においてリザーブビットの値を異ならせる方法がある。
【０１００】
例えば、第１記録層２（２２）の記録領域（記録管理領域を含む）に形成されるウォブルやＬＰＰのアドレス情報のリザーブビットの値を、第２記録層５（２５）の記録領域（記録管理領域を含む）に形成されるウォブルやランドプリピットのアドレス情報のリザーブビットの値と異ならせれば良い。
ここで、リザーブビットとは、アドレス情報が記録してある領域の中で現在は使用していない部分にあるビットを指す。このリザーブビットへの情報の記録は、アドレス情報と同じ変調方式や記録方式を適用すれば良い。また、複数の記録層を有する場合には、記録層の層数に応じて、使用するリザーブビットの数を増やす必要がある。例えば、２層の記録層を有する場合には、リザーブビットとして１ビット使用し、この値が０か１かで１層目と２層目とを区別するようにすれば良い。また、リザーブビットとして２ビット使用すれば、２ビットで００，０１，１０，１１の４つの値を表すことができるから、４つの記録層を区別することができる。同様に、リザーブビットとして３ビット使用すれば、８つの値を表すことができるから、８つの記録層を区別することができる。つまり、リザーブビットとしてｎビット使用すれば、２n個の記録層を区別できることになる。なお、上記(i)の方法や下記(iii)〜(v)の方法等の他の方法と組み合わせれば、使用するリザーブビットの数を減らすことができる。
(iii)また、各記録層２，５（２２，２５）の記録領域（記録管理領域を含む）に形成されるウォブルやランドプリピットのアドレス情報の一部として記録する方法として、２つの記録層２，５（２２，２５）の中のいずれか一方の記録層のウォブルやランドプリピットのアドレス情報全体をビット反転させる方法がある。
【０１０１】
例えば、第１記録層２（２２）にはアドレス３０００〜４ＦＦＦ（Ｈｅｘ）を入れ、第２記録層５（２５）にはアドレス５０００〜６ＦＦＦ（Ｈｅｘ）を入れる場合、第２記録層５（２５）のみビット反転させて、アドレスをＡＦＦＦ〜９０００（Ｈｅｘ）とすれば良い。
ここでは、説明を簡単にするために１６ビット（１６進数では４桁）だけで説明したが、実際は、余裕を持って、例えばＤＶＤ−Ｒではアドレス情報は４８ビット（１６進数では１２桁）で表されるため、第１記録層２（２２）のアドレスは００００００００３０００〜００００００００４ＦＦＦ（Ｈｅｘ）となり、第２記録層５（２５）のアドレスはＦＦＦＦＦＦＦＦＡＦＦＦ〜ＦＦＦＦＦＦＦＦ９０００（Ｈｅｘ）となる。
【０１０２】
なお、ドライブには、どの範囲のアドレスがどのレイヤに属するかを関連づける情報を持たせ、アドレスを読み出したときにレイヤを判別できるようにしておく必要がある。
(iv)また、各記録層２，５（２２，２５）の記録領域（記録管理領域を含む）に形成されるウォブルやランドプリピットのアドレス情報の一部として記録する方法として、２つの記録層２，５（２２，２５）の中のいずれか一方の記録層のウォブルやランドプリピットのアドレス情報全体を２の補数（全体ビット反転+１）で表す方法がある。
【０１０３】
例えば、第１記録層２（２２）にはアドレス３０００〜４ＦＦＦ（Ｈｅｘ）を入れ、第２記録層５（２５）にはアドレス５０００〜６ＦＦＦ（Ｈｅｘ）を入れる場合、第２記録層５（２５）を２の補数（全体ビット反転＋１）で表し、アドレスをＢ０００〜９００１（Ｈｅｘ）とすれば良い。
ここでは、説明を簡単にするために１６ビット（１６進数では４桁）だけで説明したが、実際は、余裕を持って、例えばＤＶＤ−Ｒではアドレス情報は４８ビット（１６進数では１２桁）で表されるため、第１記録層２（２２）のアドレス００００００００３０００〜００００００００４ＦＦＦ（Ｈｅｘ）となり、第２記録層５（２５）のアドレスはＦＦＦＦＦＦＦＦＢ０００〜ＦＦＦＦＦＦＦＦ９００１（Ｈｅｘ）となる。
【０１０４】
なお、ドライブには、どの範囲のアドレスがどのレイヤに属するかを関連づける情報を持たせ、アドレスを読み出したときにレイヤを判別できるようにしておく必要がある。
(v)さらに、各記録層２，５（２２，２５）の記録領域（記録管理領域を含む）に形成されるウォブルやランドプリピットのアドレス情報の一部として記録する方法として、２つの記録層２，５（２２，２５）の中のいずれか一方の記録層のウォブルやランドプリピットのアドレス情報の最上位ビットに記録する方法がある。
【０１０５】
例えば、第１記録層２（２２）及び第２記録層５（２５）のうちのいずれか一方の記録層のウォブルやランドプリピットのアドレス情報の最上位ビットの値をビット反転させた値を、他方の記録層のウォブルやランドプリピットのアドレス情報の最上位ビットに入れる。
具体的には、例えば第１記録層２（２２）にはアドレス００００００００３０００〜００００００００４ＦＦＦ（Ｈｅｘ）を入れ、第２記録層５（２５）にはアドレス００００００００５０００〜００００００００６ＦＦＦ（Ｈｅｘ）を入れる場合、第２記録層５（２５）の最上位ビットのみビット反転させれば良い。
【０１０６】
この場合、２進数でビット反転させると「０」が「１」になるが、これを１６進数（Ｈｅｘ）で表すと「０」が「８」になる。このため、第１記録層２（２２）のアドレスは００００００００３０００〜００００００００４ＦＦＦ（Ｈｅｘ）となり、第２記録層５（２５）のアドレスは８０００００００５０００〜８０００００００６ＦＦＦ（Ｈｅｘ）となる。なお、ドライブは、アドレスの最上位１ビットをレイヤ情報として認識するようにしておく必要がある。
【０１０７】
なお、ここでは、本発明を、片面側からのレーザ光の照射により情報を記録又は再生しうる２つの記録層を備える光記録媒体に適用する場合について説明したが、これに限られるものではなく、例えば３層以上の記録層を備え、片面側からのレーザ光の照射により情報を記録又は再生しうる光記録媒体に、上述のレイヤ情報の記録方法を単独で、あるいは組み合わせて適用することもできる。この場合、複数の記録層のうち隣り合う２つの記録層において上述のレイヤ情報の記録方法を適用すれば良い。
（２）光記録媒体の記録再生方法
以下、上述のように構成される光記録媒体の記録再生方法の概略について説明する。
【０１０８】
上記のようにして得られた本光記録媒体（タイプ１及びタイプ２）への記録は、記録層に直径０．５〜１μｍ程度に集束したレーザ光を第１基板１，２１側から照射することにより行なう。レーザ光の照射された部分には、レーザ光エネルギーの吸収による、分解、発熱、溶解等の記録層の熱的変形が起こり、光学特性が変化する。
記録された情報の再生は、レーザ光により、光学特性の変化が起きている部分と起きていない部分の反射率の差を読み取ることにより行なう。
【０１０９】
また、２層の記録層には以下のようにして個別に記録又は再生する。集束したレーザの集束位置をナイフエッジ法、非点収差法、フーコー法等で得られるフォーカスエラー信号によって、第１記録層２，２２と第２記録層５，２５とは区別できる。すなわち、レーザ光を集束する対物レンズを上下に動かすと、レーザの集束位置が第１記録層２，２２に対応する位置と第２記録層５，２５に対応する位置で、それぞれＳ字カーブが得られる。どちらのＳ字カーブをフォーカスサーボに用いるかにより、第１記録層２，２２と第２記録層５，２５のどちらを記録又は再生するかを選択可能である。
【０１１０】
タイプ１の光記録媒体において好ましくは、図１に示すように第１基板１及び中間樹脂層４にそれぞれ凹凸が形成されてなり、第１基板１の凸部及び中間樹脂層４の凸部を記録トラックとして記録又は再生を行なうものとする。通常、色素記録層は塗布形成されるので溝部で厚膜となり記録又は再生に適する。タイプ１の光記録媒体においては第１基板１の溝部、即ち光の入射方向に対して凸部を記録トラック１１とし、中間樹脂層４の溝部、即ち光の入射方向に対して凸部を記録トラック１２とするのが好ましい。
【０１１１】
また、タイプ２の光記録媒体において好ましくは、図２に示すように第１基板２１及び第２基板２７にそれぞれ凹凸が形成されてなり、第１基板２１の凸部及び第２基板２７の凹部を記録トラックとして記録又は再生を行なうものとする。なお、第１記録層２２と第２記録層２５とでは、トラッキングサーボの極性を逆にする場合がある。タイプ２の光記録媒体においては第１基板２１の溝部、即ち光の入射方向に対して凸部を記録トラック３１とし、第２基板２７の溝部、即ち光の入射方向に対して凹部を記録トラック３２とするのが好ましい。
【０１１２】
本光記録媒体（タイプ１及びタイプ２）について使用されるレーザ光は、Ｎ2、Ｈｅ−Ｃｄ、Ａｒ、Ｈｅ−Ｎｅ、ルビー、半導体、色素レーザなどが挙げられるが、軽量であること、コンパクトであること、取り扱いの容易さ等から半導体レーザが好適である。
使用されるレーザ光は、高密度記録のため波長は短いほど好ましいが、特に３５０〜５３０ｎｍのレーザ光が好ましい。かかるレーザ光の代表例としては、中心波長４０５ｎｍ、４１０ｎｍ、５１５ｎｍのレーザ光が挙げられる。
【０１１３】
波長３５０〜５３０ｎｍの範囲のレーザ光の一例は、４０５ｎｍ、４１０ｎｍの青色または５１５ｎｍの青緑色の高出力半導体レーザを使用することにより得ることができるが、その他、例えば、（ａ）基本発振波長が７４０〜９６０ｎｍの連続発振可能な半導体レーザ、または（ｂ）半導体レーザによって励起され、且つ基本発振波長が７４０〜９６０ｎｍの連続発振可能な固体レーザのいずれかを第二高調波発生素子（ＳＨＧ）により波長変換することによっても得ることができる。
【０１１４】
上記のＳＨＧとしては、反転対称性を欠くピエゾ素子であればいかなるものでもよいが、ＫＤＰ、ＡＤＰ、ＢＮＮ、ＫＮ、ＬＢＯ、化合物半導体などが好ましい。第二高調波の具体例としては、基本発振波長が８６０ｎｍの半導体レーザの場合、その倍波の４３０ｎｍ、また半導体レーザ励起の固体レーザの場合は、ＣｒドープしたＬｉＳｒＡｌＦ6結晶（基本発振波長８６０ｎｍ）からの倍波の４３０ｎｍなどが挙げられる。
（３）光記録媒体の記録再生装置
ところで、上述のように各記録層のそれぞれに記録層番号（レイヤ情報）に関する情報が記録されている光記録媒体に対して情報の記録又は再生を行なう光記録媒体の記録再生装置は、以下のように構成される。
【０１１５】
なお、記録再生装置（ドライブ）とは、光記録媒体に記録されている情報を記録又は再生しうるものであれば良く、例えば、記録のみを行なう記録装置（ライタ），再生のみを行なう再生装置（リーダ），記録及び再生の両方を行なう記録再生装置（リーダライタ）を含むものとする。
図３に示すように、本記録再生装置６０は、光記録媒体５０を回転駆動するスピンドルモータ５１と、スピンドルモータ５１を駆動するモータドライバ５２と、光ピックアップ５３と、光ピックアップ５３を駆動する光ピックアップ用ドライバ５４と、各種のサーボ制御を行なうのに用いられるサーボプロセッサ５５と、光ピックアップ５３によって検出された信号を処理する信号処理部（再生処理部）５６と、他のコンピュータ等から送られてくる情報（データ）を処理するデータ処理部（記録処理部）５７と、各デバイスに対する制御を行なう制御部５８（例えばＣＰＵ５８Ａやメモリ５８Ｂを備えるマイコン）とを備えて構成される。
【０１１６】
ここで、光ピックアップ５３は、例えばレーザダイオード，光検出器（例えばフォトディテクタなど），フォーカスやトラッキングを行なうために用いられるピックアップ用アクチュエータ等を備えるものとして構成される。
光ピックアップ用ドライバ５４は、図３に示すように、レーザダイオードを駆動するレーザドライバ（レーザダイオードドライバ）５４Ａと、ピックアップ用アクチュエータを駆動するフォーカスドライバ５４Ｂと、ピックアップ用アクチュエータを駆動するトラッキングドライバと５４Ｃとを含むものとして構成される。
【０１１７】
ここで、レーザドライバ５４Ａは、再生用のレーザダイオードを駆動する再生用レーザドライバ５４Ａａと、記録用のレーザダイオードを駆動する記録用レーザドライバ５４Ａｂとを含むものとして構成される。
サーボプロセッサ５５は、フォーカスサーボを行なうためのフォーカスサーボ回路５５Ａと、トラッキングサーボを行なうためのトラッキングサーボ回路５５Ｂとを含むものとして構成される。
【０１１８】
信号処理部５６は、光ピックアップ５３によって検出された信号を増幅するプリアンプ５６Ａと、プリアンプ５６Ａによって増幅された検出信号からフォーカスエラー信号，トラッキングエラー信号，ウォブルやランドプリピットのアドレス信号［アドレス情報（レイヤ情報を含む）］を含むデータ信号（情報）等を生成するマトリックス回路５６Ｂと、マトリックス回路５６Ｂによって生成されたアドレス信号［アドレス情報；記録層番号（レイヤ情報）を含む］を復調する復調回路５６Ｃとを備えるものとして構成される。なお、データ信号は、図示しない２値化回路及び復調回路等を介して処理された後、コンピュータ等へ送られる。
【０１１９】
なお、光記録媒体５０を作製する際に、レイヤ情報を含むアドレス情報をプリピット（ＲＯＭピット）により記録する場合には、信号処理部５６は、マトリックス回路と、２値化回路と、復調回路とを備えるものとして構成すれば良い。
データ処理部５７は、他のコンピュータ等から送られてくるデータをアドレス情報とともに変調する変調回路５７Ａと、変調されたデータをもとに、記録用レーザドライバ５４Ａｂに対する記録パルスの制御（記録パルスのマルチパルス変調）を行なう記録ストラテジ回路（ライトストラテジ回路）５７Ｂとを備えるものとして構成される。
【０１２０】
次に、上述のように構成される光記録媒体の記録再生装置６０の制御部５８が所定のプログラムを実行して行なわれる処理（光記録媒体の記録再生方法，記録方法，再生方法）について、図４を参照しながら説明する。
ここでは、２層の記録層２，５（２２，２５）を有し、レイヤ情報が記録層のほぼ全面に記録されている光記録媒体５０に対して情報を記録（又は再生）する場合を例に説明する。
【０１２１】
光記録媒体の記録再生装置（ドライブ）６０は、例えばパーソナルコンピュータ等のコンピュータから（又は、ドライブ自体に設けられているボタンなどの入力部を介して）記録指令が入力されると、制御部５８が、媒体の記録領域に含まれる目次情報領域にアクセスして、どのアドレスに書き込みが可能であるかを判定する。そして、書込可能と判定したアドレスに基づいて、どの記録層に記録するかを決定する（ステップＳ１０）。なお、媒体がドライブにセットされたときに目次情報領域にアクセスし、予め目次情報を読み出しておく場合には、予め読み出しておいた目次情報を用いて、どのアドレスに書き込みが可能であるかを判定するようにすれば良い。
【０１２２】
ここで、アドレス情報にレイヤ情報を含ませておく場合には、アドレス情報に含まれるレイヤ情報を検出することで、どの記録層に記録するかを決定することができるし、ドライブ側にアドレス情報とレイヤ情報とを対応づけたテーブルを持たせておくような場合には、このテーブルを用いてアドレス情報からレイヤ情報を決定することができる。
一方、例えばパーソナルコンピュータ等のコンピュータから（又は、ドライブ自体に設けられているボタンなどの入力部を介して）再生指令が入力されると、制御部５８が、再生指令に含まれるアドレス情報に基づいて、どの記録層に記録するかを決定する（ステップＳ１０）。
【０１２３】
ここで、媒体をドライブにセットすると、媒体から目次情報（どのアドレスにどの情報が記録されているかの情報）を読み出し、例えばコンピュータの画面上にアイコンを表示させるようにしておき、ユーザがアイコンをクリックすると、ドライブにアドレス情報を含む再生指令が入力されるようにしておけば良い。
このように、制御部５８は、記録指令（又は再生指令）が入力されると、記録（又は再生）する記録層を特定する。この制御部５８の機能を記録層決定部（記録層特定部）という。
【０１２４】
また、記録指令（又は再生指令）が入力されると、制御部５８は、フォーカスサーボ回路５５Ａに対してフォーカスサーボ指令を出し、この指令を受けたフォーカスサーボ回路５５Ａは、フォーカスドライバ５４Ｂやピックアップ用アクチュエータを介して、光ピックアップ５３を制御することで第１記録層２（２２）及び第２記録層５（２５）のうちのいずれか一の記録層に対してフォーカスサーボをかける（ステップＳ２０）。この制御部５８の機能をフォーカスサーボ制御部という。
【０１２５】
ここで、光記録媒体５０の各記録層２，５（２２，２５）のほぼ全面にアドレス情報の一部としてレイヤ情報を記録しておく場合には、アドレス情報に基づいて所望のアドレスにアクセスした状態でフォーカスサーボをかければ良い。一方、光記録媒体５０の記録管理領域にレイヤ情報を記録しておく場合には、この記録管理領域でフォーカスサーボをかければ良い。
【０１２６】
なお、複数の記録層を有する光記録媒体に対して情報の記録（又は再生）を行なう場合には、複数の記録層のうちのいずれか一の記録層に対してフォーカスサーボをかければ良い。
次に、制御部５８は、信号処理部５６としてのプリアンプ５６Ａ，マトリックス回路５６Ｂ及び復調回路５６Ｃを介して、フォーカスサーボをかけた一の記録層に記録されているレイヤ情報（層情報）を読み出す（ステップＳ３０）。この制御部５８の機能をレイヤ情報読出部という。
【０１２７】
そして、制御部５８は、ステップＳ３０で読み出されたレイヤ情報によって特定される記録層が、ステップＳ１０で記録又は再生する記録層として特定された記録層であるか否かを判定する（ステップＳ４０）。この制御部５８の機能を記録層判定部という。
この判定の結果、読み出されたレイヤ情報によって特定される記録層が記録する記録層として特定された記録層（記録しようとする特定記録層）であると判定した場合、制御部５８は、データ処理部５７及び記録用レーザドライバ５４Ａｂを介して光ピックアップ５３に対して記録指令を出し、これに応じてレーザダイオードが駆動されて、フォーカスサーボをかけた一の記録層のアドレス情報によって特定されるアドレスに、その記録層（レイヤ情報によって特定される記録層）に応じた例えば記録パルスストラテジ，記録パワー等の記録条件（記録再生条件）で、トラッキングサーボ回路５５Ｂやトラッキングドライバ５４Ｃを介してトラッキングをかけながら、例えばパーソナルコンピュータや他の機器から送られてきた情報（データ）の記録が行なわれる（ステップＳ５０）。この制御部５８の機能を記録制御部（記録再生制御部）という。
【０１２８】
なお、記録再生条件は、光記録媒体に予め記録されているものを読み出し、これに基づいて決めても良いし、記録再生装置に予めレイヤ情報に応じて記憶させておいたものに基づいて決めても良い。例えば、光記録媒体に記録推奨パワー又は再生推奨パワーを記録しておき、ドライブが、これらを読み出して、これらに基づいて記録パワー又は再生パワーを決めるようにすれば良い。
【０１２９】
また、ドライブに、レイヤ情報に応じて記録推奨パワー又は再生推奨パワーを記憶させておき、これに基づいてレイヤ情報に対応する記録推奨パワー又は再生推奨パワーを読み出し、読み出された記録推奨パワー又は再生推奨パワーに基づいて記録パワー又は再生パワーを決めるようにしても良い。
さらに、場合によっては、記録推奨パワーを読み出した後、ＯＰＣ（Optimum Power Control）を行なって記録パワーを決めるようにしても良い。
【０１３０】
一方、上述の判定の結果、読み出されたレイヤ情報によって特定される記録層が再生する記録層として特定された記録層（再生しようとする特定記録層）であると判定した場合、制御部５８は、再生用レーザドライバ５４Ａａを介して光ピックアップ５３に対して再生指令を出し、その記録層（レイヤ情報によって特定される記録層）に応じた例えば再生パワー等の再生条件（記録再生条件）で、トラッキングサーボ回路５５Ｂやトラッキングドライバ５４Ｃを介してトラッキングをかけながら、フォーカスサーボをかけた一の記録層のアドレス情報によって特定されるアドレスに記録されている情報を信号処理部５６を介して再生する（ステップＳ５０）。この制御部の機能を再生制御部（記録再生制御部）という。
【０１３１】
ところで、制御部５８は、ステップＳ４０で、読み出されたレイヤ情報によって特定される記録層が記録（又は再生）しようとする記録層でないと判定した場合には、ステップＳ２０に戻り、他の記録層に対してフォーカスサーボをかけ、以後、読み出されたレイヤ情報によって特定される記録層が記録（又は再生）しようとする記録層であると判定されるまで、同様の処理（ステップＳ２０〜Ｓ４０）が繰り返される。
【０１３２】
したがって、本実施形態にかかる光記録媒体，光記録媒体の記録再生方法及び光記録媒体の記録再生装置によれば、情報の記録又は再生を行なおうとする記録層に応じて、例えば記録パルスストラテジ，記録パワー,再生パワー等の記録再生条件を瞬時に切り替えることができるようになるという利点がある。
なお、本発明は上記の実施形態に限定されるものではなく、本発明の趣旨を逸脱しない範囲で種々変形して実施することができる。
【図面の簡単な説明】
【０１３３】
【図１】本発明の一実施形態にかかる光記録媒体（タイプ１）の全体構成を示す模式図である。
【図２】本発明の一実施形態にかかる光記録媒体（タイプ２）の全体構成を示す模式図である。
【図３】本発明の一実施形態にかかる光記録媒体の記録再生装置の全体構成を示す模式図である。
【図４】本発明の一実施形態にかかる光記録媒体の記録再生装置の制御部によって実行される処理を示すフローチャートである。
【符号の説明】
【０１３４】
１，２１  第１基板（第１の基板）
２，２２  第１記録層（第１の記録層）
３，２３  第１反射層
４  中間樹脂層（中間層）
５，２５  第２記録層（第２の記録層）
６，２６  第２反射層
７  接着層
８，２７  第２基板（第２の基板）
２８  バッファー層
１１，１２，３１  凸部からなる記録トラック
２４  透明接着層（中間層）
３２  凹部からなる記録トラック
５０  光記録媒体
５１  スピンドルモータ
５２  モータドライバ
５３  光ピックアップ
５４  光ピックアップ用ドライバ
５４Ａ  レーザドライバ
５４Ａａ  再生用レーザドライバ
５４Ａｂ  記録用レーザドライバ
５４Ｂ  フォーカスドライバ
５５  サーボプロセッサ
５５Ａ  フォーカスサーボ回路
５６  信号処理部（再生処理部）
５６Ａ  プリアンプ
５６Ｂ  マトリックス回路
５６Ｃ  復調回路
５７  データ処理部（記録処理部）
５７Ａ  変調回路
５７Ｂ  記録ストラテジ回路
５８  制御部（マイコン）
５８Ａ  ＣＰＵ
５８Ｂ  メモリ
６０  記録再生装置（ドライブ）
【図１】
2004213859.tif 000004
【図２】
2004213859.tif 000005
【図３】
2004213859.tif 000006
【図４】
2004213859.tif 000007